(57)【要約】【課題】情報信号と直流電力を１本の配線で伝送することによって省配線を図ると共に、既存の機器でも使用可能な情報配線システムを提供する。【解決手段】情報配線システムは、建物内に配線されたテレビジョン信号を伝送するための同軸ケーブルＬ１と、当該同軸ケーブルＬ１に接続される情報配線器具３Ａと、同軸ケーブルＬ１に直流電力を重畳させることによって情報配線器具３Ａに直流電力を重畳させるＤＣ電力重畳部２３とを備える。情報配線器具３Ａは、同軸ケーブルＬ１が接続される接続端子３１と、同軸ケーブルＬ１を介して伝送される信号からテレビジョン信号と直流電力とを分離して出力する情報／電力分離部３２と、情報／電力分離部３２により分離された直流電力を外部に出力するＤＣコンセント部３３と、情報／電力分離部３２により分離されたテレビジョン信号を外部の映像機器に出力する同軸コネクタ接続部３４とを備えている。【選択図】図１
2010081700.tif 000002
【特許請求の範囲】
【請求項１】
建物内に配線された情報信号伝送用の情報配線と、前記情報配線に直流電力を重畳させるＤＣ電力重畳部と、前記情報配線に接続される情報配線器具とを備え、前記情報配線器具は、前記情報配線を介して入力される信号を情報信号と直流電力とに分離する情報／電力分離部を備えるとともに、情報／電力分離部によって分離された直流電力を出力するＤＣコンセント部、又は、情報／電力分離部によって分離された情報信号を外部の情報機器との間で授受するための情報コンセント部のうち、少なくとも何れか一方を備えたことを特徴とする情報配線システム。
【請求項２】
建物内に配線された情報信号伝送用の情報配線と、前記情報配線に直流電力を重畳させるＤＣ電力重畳部と、前記情報配線に接続され当該情報配線を介して伝送される直流電力の重畳された情報信号を授受するためのコンセント口を具備した情報配線器具と、情報配線器具のコンセント口に着脱自在に接続されるアダプタ装置とを備え、前記アダプタ装置は、前記コンセント口に接続される器具接続部と、前記器具接続部を介して入力される信号を情報信号と直流電力とに分離する情報／電力分離部とを備えるとともに、情報／電力分離部によって分離された直流電力を出力するＤＣコンセント部、又は、情報／電力分離部によって分離された情報信号を外部の情報機器との間で授受するための情報コンセント部のうち、少なくとも何れか一方を備えたことを特徴とする情報配線システム。
【請求項３】
前記情報信号がテレビジョン信号であることを特徴とする請求項１又は２の何れか１項に記載の情報配線システム。
【請求項４】
前記情報信号が、Ｅｔｈｅｒｎｅｔ（登録商標）のプロトコルにしたがった伝送信号であることを特徴とする請求項１又は２の何れか１項に記載の情報配線システム。
【請求項５】
前記情報信号が電話信号であることを特徴とする請求項１又は２の何れか１項に記載の情報配線システム。
【発明の詳細な説明】
【技術分野】
【０００１】
本発明は、情報配線システムに関するものである。
【背景技術】
【０００２】
従来、複数種の情報信号（テレビ信号、電話信号、Ｅｔｈｅｒｎｅｔ（登録商標）のプロトコルにしたがった伝送信号など）を伝送するための情報コンセント部（テレビターミナル、電話モジュラジャック及びＬＡＮモジュラジャック）を備えたマルチメディアコンセントが提供されており、このようなマルチメディアコンセントを用いて建物内の情報配線を行っていた（例えば特許文献１参照）。
【特許文献１】特開２００６−２３６９５５号公報
【発明の開示】
【発明が解決しようとする課題】
【０００３】
上述の情報配線システムでは、マルチメディアコンセントに接続される情報機器（テレビ受像機、電話機、ネットワーク機器など）は、対応する情報コンセント部を介して情報信号を授受するとともに、情報コンセント部とは別に設けられたＡＣコンセントから動作電力の供給を受けていた。そのため、情報機器の使用場所にはマルチメディアコンセントと共にＡＣコンセントを配設し、マルチメディアコンセント及びＡＣコンセントにそれぞれ情報配線と電力配線の２本の配線を施工しなければならず、施工性が悪いという問題があった。
【０００４】
本発明は上記問題点に鑑みて為されたものであり、その目的とするところは、情報信号と直流電力を１本の配線で伝送することで省配線を図ると共に、既存の機器でも使用可能な情報配線システムを提供することにある。
【課題を解決するための手段】
【０００５】
上記目的を達成するために、請求項１の発明は、建物内に配線された情報信号伝送用の情報配線と、情報配線に直流電力を重畳させるＤＣ電力重畳部と、情報配線に接続される情報配線器具とを備え、情報配線器具は、情報配線を介して入力される信号を情報信号と直流電力とに分離する情報／電力分離部を備えるとともに、情報／電力分離部によって分離された直流電力を出力するＤＣコンセント部、又は、情報／電力分離部によって分離された情報信号を外部の情報機器との間で授受するための情報コンセント部のうち、少なくとも何れか一方を備えたことを特徴とする。
【０００６】
請求項２の発明は、建物内に配線された情報信号伝送用の情報配線と、情報配線に直流電力を重畳させるＤＣ電力重畳部と、情報配線に接続され当該情報配線を介して伝送される直流電力の重畳された情報信号を授受するためのコンセント口を具備した情報配線器具と、情報配線器具のコンセント口に着脱自在に接続されるアダプタ装置とを備え、アダプタ装置は、コンセント口に接続される器具接続部と、器具接続部を介して入力される信号を情報信号と直流電力とに分離する情報／電力分離部とを備えるとともに、情報／電力分離部によって分離された直流電力を出力するＤＣコンセント部、又は、情報／電力分離部によって分離された情報信号を外部の情報機器との間で授受するための情報コンセント部のうち、少なくとも何れか一方を備えたことを特徴とする。
【０００７】
請求項３の発明は、請求項１又は２の発明において、情報信号がテレビジョン信号であることを特徴とする。
【０００８】
請求項４の発明は、請求項１又は２の発明において、情報信号がＥｔｈｅｒｎｅｔ（登録商標）のプロトコルにしたがった伝送信号であることを特徴とする。
【０００９】
請求項５の発明は、請求項１又は２の発明において、情報信号が電話信号であることを特徴とする。
【発明の効果】
【００１０】
請求項１の発明によれば、情報配線器具に接続される情報配線には、ＤＣ電力重畳部が直流電力を重畳させているので、１本の情報配線で情報信号と直流電力の両方を伝送することができ、配線の数を減らして施工性を向上させることができるという効果がある。しかも、情報配線器具はＤＣコンセント部又は情報コンセント部のうち少なくとも何れか一方を備えており、ＤＣコンセント部からは情報／電力分離部によって情報信号と分離された直流電力が出力されるとともに、情報コンセント部を介して外部の情報機器との間で直流電力と分離された情報信号が授受されるので、情報コンセント部を備えた場合には、直流電力が重畳された情報信号から情報信号だけを分離して受信する機能を備えていない既存の情報機器でも情報コンセント部から情報信号を受け取ることができ、既存の情報機器を情報配線器具に接続して使用することができる。
【００１１】
請求項２の発明によれば、情報配線器具に接続される情報配線には、ＤＣ電力重畳部が直流電力を重畳させているので、１本の情報配線で情報信号と直流電力の両方を伝送することができ、配線の数を減らして施工性を向上させることができるという効果がある。しかも、情報配線器具のコンセント口に接続されたアダプタ装置は、情報信号と直流電力とを分離する情報／電力分離部を備えるとともに、ＤＣコンセント部又は情報コンセント部のうち少なくとも何れか一方を備えており、ＤＣコンセント部からは情報／電力分離部によって情報信号と分離された直流電力が出力されるとともに、情報コンセント部を介して外部の情報機器との間で直流電力と分離された情報信号が授受されるので、情報コンセント部を備えた場合には、直流電力が重畳された情報信号から情報信号だけを分離して受信する機能を備えていない既存の情報機器でも情報コンセント部から情報信号を受け取ることができ、既存の情報機器を情報配線器具に接続して使用することができる。
【００１２】
請求項３の発明によれば、テレビジョン信号を伝送するための配線と、直流電力を供給するための電力配線を１本の電線で兼用することができる。
【００１３】
請求項４の発明によれば、Ｅｔｈｅｒｎｅｔ（登録商標）のプロトコルにしたがった伝送信号を伝送するための配線と、直流電力を供給するための電力配線を１本の電線で兼用することができる。
【００１４】
請求項５の発明によれば、電話信号を伝送するための配線と、直流電力を供給するための電力配線を１本の電線で兼用することができる。
【発明を実施するための最良の形態】
【００１５】
以下に本発明の実施の形態を図面に基づいて説明する。
【００１６】
（実施形態１）
本発明の実施形態１を図１及び図２に基づいて説明する。図１は本実施形態の情報配線システムの概略的なシステム構成図であり、この配線システムが施工される住宅には、電力系の配線を分岐配線するための分電盤１と、情報系の配線（本実施形態では例えば情報信号としてテレビジョン信号を伝送する同軸ケーブルＬ１）を分岐配線するための情報用分電盤２が設置されるとともに、宅内の複数箇所にはテレビジョン信号をテレビや録画装置などの映像機器（図示せず）に出力するための情報配線器具３Ａが設置されている。
【００１７】
分電盤１の内部には、商用交流電源ＡＣが一次側に接続される主幹ブレーカ１１と、主幹ブレーカ１１の二次側に接続される複数台の分岐ブレーカ１２ａ，１２ｂと、分岐ブレーカ１２ｂを介して入力された交流電源を直流に変換するＡＣ／ＤＣコンバータ１３と、ＡＣ／ＤＣコンバータ１３の出力と太陽電池１５、二次電池１６及び燃料電池１７からの出力との協調をとって後述のマルチメディアコンセント３に直流電力を供給する協調制御部１４（ＤＣブレーカ）とが収納されている。
【００１８】
情報用分電盤２の内部には、衛星放送を受信するＢＳアンテナのようなアンテナ２４から入力されるテレビジョン信号をブースタ２１により増幅した信号を複数の情報配線器具３Ａに分配する分配器２２と、協調制御部１４から電力配線Ｌ２を介して供給された直流電力を、分配器２２と情報配線器具３Ａとの間を電気的に接続する情報配線としての同軸ケーブルＬ１に重畳させるＤＣ電力重畳部２３とが収納されている。ここにおいて、ＤＣ電力重畳部２３では同軸ケーブルＬ１の中心導体と外周導体との間に電位差を与えることによって、同軸コネクタ接続部３４に直流電力を重畳させている。尚、ブースタ２１及び分配器２２は分岐ブレーカ１２ａを介して供給される交流電源から動作電源を得ているが、分配器２２が同軸ケーブルＬ１に重畳された直流電源から動作電源を得るようにしてもよい。
【００１９】
情報配線器具３Ａは、分配器２２からの同軸ケーブルＬ１が接続される接続端子３１と、接続端子３１を介して伝送される信号から情報信号（テレビジョン信号）と直流電力とを分離して出力する情報／電力分離部３２と、情報／電力分離部３２により分離された直流電力を外部に出力するＤＣコンセント部３３と、映像機器からの同軸ケーブルに設けた同軸コネクタが着脱自在に接続され、情報／電力分離部３２により分離されたテレビジョン信号を映像機器に対して出力する同軸コネクタ接続部３４とを備えている。
【００２０】
また図２は情報配線器具３Ａの正面図を示しており、前面にはＤＣコンセント部３３と同軸コネクタ接続部３４とが上下に並べて配設されている。尚、ＤＣコンセント部３３はＩＥＣ規格（ＣＥＩ／ＩＥＣ  ９０６−３）に準拠したソケットを有し、ＩＥＣ規格（ＣＥＩ／ＩＥＣ  ９０６−３）では、８種類（交流及び直流の６Ｖ，１２Ｖ，２４Ｖ，４８Ｖ）のＳＥＬＶ（Safety Extra-Low Voltage）電源に対して形状、大きさ及び極配置が規定されている。
【００２１】
本実施形態の情報配線システムは上記のような構成を有しており、ＤＣ電力重畳部２３が、協調制御部１４から得た直流電源を、分配器２２と情報配線器具３Ａの間を接続する同軸ケーブルＬ１に重畳させているので、１本の情報配線（同軸ケーブルＬ１）で情報信号（テレビジョン信号）と直流電力の両方を伝送することができ、配線の数を減らして施工性を向上させることができる。しかも、情報配線器具３Ａの情報／電力分離部３２によってテレビジョン信号と分離された直流電力はＤＣコンセント部３３から出力されるとともに、直流電力と分離されたテレビジョン信号は同軸コネクタ接続部３４から出力されるので、直流電力が重畳されたテレビジョン信号からテレビジョン信号だけを分離して受信する機能を備えていない既存の映像機器（テレビや録画装置など）でも、同軸コネクタ接続部３４からテレビジョン信号を受信するとともに、ＤＣコンセント部３３から直流電力を受け取ることができ、既存の映像機器を情報配線器具３Ａに接続して使用することができる。尚、情報配線器具３ＡのＤＣコンセント部３３に映像機器以外の機器を接続して、ＤＣコンセント部３３から電力供給を受けるようにしてもよいことは言うまでもない。
【００２２】
ところで本実施形態の情報配線器具３Ａでは、情報信号（映像信号）と分離された直流電力を出力するＤＣコンセント部３３と、直流電力と分離された情報信号を授受するための同軸コネクタ接続部３４を備えているが、ＤＣコンセント部３３又は同軸コネクタ接続部３４のうち少なくとも何れか一方を備えていればよく、ＤＣコンセント部３３又は同軸コネクタ接続部３４の何れかを備えて、直流電力又は情報信号の何れかを出力するようにしてもよい。また情報配線器具３Ａでは、ＤＣコンセント部３３及び同軸コネクタ接続部３４に加えて、直流電力が重畳された情報信号をそのまま出力するコンセント部を備えるようにしてもよいし、ＤＣコンセント部３３又は同軸コネクタ接続部３４のうちの何れか一方と、直流電力が重畳された情報信号をそのまま出力するコンセント部とを備えるようにしてもよい。
【００２３】
また本システムでは、ＤＣ電力重畳部２３に直流電源を供給する電源として、商用交流電源ＡＣから供給される交流電力を直流電力に変換するＡＣ−ＤＣコンバータ１３（ＡＣ／ＤＣ変換部）と、商用交流電源ＡＣの停電時に直流電力を供給する太陽電池１５、二次電池１６、燃料電池１７などからなるバックアップ電源とを備えており、停電時にはこれらのバックアップ電源（太陽電池１５、二次電池１６、燃料電池１７など）からＤＣ電力重畳部２３に直流電力が供給されるので、停電中も情報配線器具３ＡのＤＣコンセント部３３から直流電力を供給して、この情報配線器具３Ａに接続される負荷機器を動作させることができる。
【００２４】
（実施形態２）
本発明の実施形態２を図３及び図４に基づいて説明する。図３は本実施形態の情報配線システムの概略的なシステム構成図であり、この配線システムが施工される住宅には、電力系の配線を分岐配線するための分電盤１と、情報系の配線（例えば情報信号としてＥｔｈｅｒｎｅｔ（登録商標）のプロトコルにしたがった伝送信号（ＴＣＰ／ＩＰ信号）を伝送するための４対８芯のツイストペアケーブルからなる情報配線Ｌ３）を分岐配線するための情報用分電盤２が設置されるとともに、宅内の複数箇所にはＥｔｈｅｒｎｅｔ（登録商標）のプロトコルにしたがった伝送信号をネットワーク機器（コンピュータやＷｅｂカメラなど）に出力するための情報配線器具３Ｂが設置されている。尚、情報分電盤２及び情報配線器具３Ｂ以外の構成は実施形態１と同様であるので、共通する構成要素には同一の符号を付して、その説明は省略する。
【００２５】
情報分電盤２の内部にはハブ２７とＤＣ電力重畳部２３とが収納されている。ハブ２７は複数の接続ポートを有し、建物内の複数箇所に配設された複数の情報配線器具３Ｂが宅内に配線されたＬＡＮケーブルＬ３を介して接続されるとともに、ルータ２６にＬＡＮケーブルを介して接続され、情報配線器具３Ｂに接続されるネットワーク機器（図示せず）及びルータ２６の間で伝送信号を中継する。また、ルータ２６はモデム２５を介してインターネットのようなネットワーク１００に接続されている。ここで、モデム２５、ルータ２６及びハブ２７は分岐ブレーカ１２ａを介して供給される交流電源から動作電源を得ているが、後述するようにＬＡＮケーブルＬ３には直流電力が重畳されており、ハブ２７はＬＡＮケーブルＬ３に重畳された直流電源から動作電源を得るようにしてもよい。
【００２６】
ところで、ハブ２７と情報配線器具３Ｂの間を接続するＬＡＮケーブルＬ３は４対８芯のツイストペアケーブルで構成されているが、ＬＡＮ信号の伝送用には２対４芯の電線しか使用されておらず、ＤＣ電力重畳部２３では未使用の４本の電線を用いて直流電力を重畳させている。而して、情報配線器具３Ｂに接続されるネットワーク機器では、後述のプラグ接続部３５が備える８極の端子のうち信号伝送用以外の４極の端子から直流電力の供給を受けることができる。尚、ＤＣ電力重畳部２３では、信号伝送用の４本の電線に直流電力を重畳させても良く、この場合、情報配線器具３Ｂに接続されるネットワーク機器では、プラグ接続部３５が備える８極の端子の内、ＬＡＮ信号の伝送に用いる４極の端子から直流電力の供給を受けることができる。
【００２７】
情報配線器具３Ｂは、ハブ２７からのＬＡＮケーブルＬ３が接続される接続端子３１と、接続端子３１を介して伝送される信号から情報信号（Ｅｔｈｅｒｎｅｔ（登録商標）のプロトコルにしたがった伝送信号）と直流電力とを分離して出力する情報／電力分離部３２と、情報／電力分離部３２により分離された直流電力を外部に出力するＤＣコンセント部３３と、ネットワーク機器（図示せず）からのＬＡＮケーブルに設けたコネクタ（例えばＲＪ４５モジュラプラグ）が着脱自在に接続されるモジュラジャックからなるプラグ接続部３５とを備え、情報／電力分離部３２により直流電力と分離された伝送信号がプラグ接続部３５からネットワーク機器に出力されるとともに、ネットワーク機器から入力された伝送信号が情報／電力分離部３２を介して直流電力を重畳させた信号形式でＬＡＮケーブルＬ３に出力されるようになっている。
【００２８】
また、図４は情報配線器具３Ｂの正面図を示しており、情報配線器具３Ｂの前面にはＤＣコンセント部３３とプラグ接続部３５とが上下に並べて配設されている。尚、ＤＣコンセント部３３はＩＥＣ規格（ＣＥＩ／ＩＥＣ  ９０６−３）に準拠したソケット部を有し、ＩＥＣ規格（ＣＥＩ／ＩＥＣ  ９０６−３）では、８種類（交流及び直流の６Ｖ，１２Ｖ，２４Ｖ，４８Ｖ）のＳＥＬＶ（Safety Extra-Low Voltage）電源に対して形状、大きさ及び極配置が規定されている。
【００２９】
本実施形態の情報配線システムは上記のような構成を有しており、ＤＣ電力重畳部２３が、協調制御部１４から得た直流電源を、ハブ２７と情報配線器具３Ｂとの間を接続するＬＡＮケーブルＬ３に重畳させているので、１本の情報配線（ＬＡＮケーブルＬ３）で情報信号（ＬＡＮ信号）と直流電力の両方を伝送することができ、配線の数を減らして施工性を向上させることができる。しかも、情報配線器具３Ｂの情報／電力分離部３２によって上記の伝送信号と分離された直流電力はＤＣコンセント部３３から出力されるとともに、直流電力と分離された伝送信号がプラグ接続部３５から入出力されるので、直流電力が重畳された伝送信号から伝送信号だけを分離して授受する機能を備えていない既存のネットワーク機器でも、プラグ接続部３５を介して伝送信号を授受するとともに、ＤＣコンセント部３３から直流電力を受け取ることができ、既存のネットワーク機器を情報配線器具３Ｂに接続して使用することができる。尚、情報配線器具３ＢのＤＣコンセント部３３に、ネットワーク機器以外の機器を接続して、ＤＣコンセント部３３からネットワーク機器以外の機器に電力供給を行うようにしてもよいことは言うまでもない。
【００３０】
ところで本実施形態の情報配線器具３Ｂでは、情報信号（伝送信号）と分離された直流電力を出力するＤＣコンセント部３３と、直流電力と分離された伝送信号を授受するためのプラグ接続部３５を備えているが、ＤＣコンセント部３３又はプラグ接続部３５のうち少なくとも何れか一方を備えていればよく、ＤＣコンセント部３３又はプラグ接続部３５の何れかを備えて、直流電力又は伝送信号の何れかを出力するようにしてもよい。また情報配線器具３Ｂでは、ＤＣコンセント部３３及びプラグ接続部３５に加えて、直流電力が重畳された情報信号（伝送信号）をそのまま出力するコンセント部を備えるようにしてもよいし、ＤＣコンセント部３３又はプラグ接続部３５のうちの何れか一方と、直流電力が重畳された伝送信号をそのまま出力するコンセント部とを備えるようにしてもよい。
【００３１】
（実施形態３）
本発明の実施形態３を図５に基づいて説明する。図５は本実施形態の情報配線システムの概略的なシステム構成図であり、この配線システムが施工される住宅には、電力系の配線を分岐配線するための分電盤１と、情報系の配線（例えば情報信号として電話信号を伝送するための６芯の電話線Ｌ５）を分岐配線するための電話用端子台２８が設置されるとともに、宅内の複数箇所には電話機やファクシミリなどの通信機器が接続される情報配線器具３Ｂが設置されている。尚、情報分電盤２及び情報配線器具３Ｃ以外の構成は実施形態１と同様であるので、共通する構成要素には同一の符号を付して、その説明は省略する。
【００３２】
情報分電盤２の内部には電話用端子台２８とＤＣ電力重畳部２３とが収納されている。電話用端子台２８は、電気通信事業者からの電話回線Ｌ４を、複数の情報配線器具３Ｃに分岐配線するために用いられ、複数の情報配線器具３Ｃが宅内に配線された電話線Ｌ５を介してスター配線されている。そして、電話用端子台２８と各情報配線器具３Ｃとの間を接続する電話線Ｌ５にＤＣ電力重畳部２３が直流電力をそれぞれ重畳させている。ここで、電話線Ｌ５は複数対のツイストペアケーブルで構成されているが、電話信号の伝送用には２芯の電線しか使用されていないので、ＤＣ電力重畳部２３では未使用の２芯の電線に直流電力を重畳させている。而して、情報配線器具３Ｃに接続される通信機器側では、後述のプラグ接続部３６が備える複数極の端子の内、電話信号の伝送用以外の２極の端子から直流電力の供給を受けることができる。尚、ＤＣ電力重畳部２３では、電話信号の伝送に用いられる２芯の電線に直流電力を重畳させても良く、この場合、情報配線器具３Ｃに接続される通信機器側では、プラグ接続部３６が備える複数極の端子の内、電話信号用の２極の端子から直流電力の供給を受けることができる。
【００３３】
また情報配線器具３Ｃは、電話用端子台２８からの電話線Ｌ５が接続される接続端子３１と、接続端子３１を介して伝送される信号から電話信号と直流電力とを分離して出力する情報／電力分離部３２と、情報／電力分離部３２により分離された直流電力を外部に出力するＤＣコンセント部３３と、通信機器（図示せず）からのケーブルに設けたモジュラプラグが着脱自在に接続されるモジュラジャックからなるプラグ接続部３６とを備え、情報／電力分離部３２により直流電力と分離された電話信号がプラグ接続部３６から通信機器に出力されるとともに、通信機器から入力された電話信号が情報／電力分離部３２を介して直流電力に重畳させた信号形式で電話線Ｌ５に出力されるようになっている。
【００３４】
本実施形態の情報配線システムは上記のような構成を有しており、ＤＣ電力重畳部２３が、協調制御部１４から得た直流電源を、電話用端子台２８と情報配線器具３Ｃの間を接続する電話線Ｌ５に重畳させているので、１本の情報配線（電話線Ｌ５）で情報信号（電話信号）と直流電力の両方を伝送することができ、配線の数を減らして施工性を向上させることができる。しかも、情報配線器具３Ｃの情報／電力分離部３２によって電話信号と分離された直流電力はＤＣコンセント部３３から出力されるとともに、直流電力と分離された電話信号がプラグ接続部３６を介して授受されるので、直流電力が重畳された電話信号から電話信号だけを分離して授受する機能を備えていない既存の通信機器（電話機やファクシミリなど）でも、プラグ接続部３６を介して電話信号を授受するとともに、ＤＣコンセント部３３から直流電力を受け取ることができ、既存の通信機器を情報配線器具３Ｃに接続して使用することができる。尚、情報配線器具３ＣのＤＣコンセント部３３に、通信機器以外の機器を接続して、ＤＣコンセント部３３から通信機器以外の機器に電力供給を行ってもよいことは言うまでもない。
【００３５】
ところで本実施形態の情報配線器具３Ｃでは、情報信号（音声信号）と分離された直流電力を出力するＤＣコンセント部３３と、直流電力と分離された音声信号を授受するためのプラグ接続部３６を備えているが、ＤＣコンセント部３３又はプラグ接続部３６のうち少なくとも何れか一方を備えていればよく、ＤＣコンセント部３３又はプラグ接続部３５の何れかを備えて、直流電力又は音声信号の何れかを出力するようにしてもよい。また情報配線器具３Ｃでは、ＤＣコンセント部３３及びプラグ接続部３６に加えて、直流電力が重畳された情報信号（音声信号）をそのまま出力するコンセント部を備えるようにしてもよいし、ＤＣコンセント部３３又はプラグ接続部３６のうちの何れか一方と、直流電力が重畳された音声信号をそのまま出力するコンセント部とを備えるようにしてもよい。
【００３６】
また上述の実施形態１〜３では１種類の情報信号を伝送する情報配線に直流電力を重畳させるとともに、情報配線器具３Ａ〜３Ｃに設けた情報／電力分離部で１種類の情報信号と直流電力とを分離させているが、複数種類の情報信号（例えばテレビジョン信号、伝送信号、音声信号のうちの２種又は３種）が多重伝送される情報配線に直流電力を重畳させ、情報配線器具において複数種類の情報信号と直流電力とをそれぞれ分離して、それぞれ対応するコンセント部から出力させるようにしてもよい。
【００３７】
（実施形態４）
本発明の実施形態４を図６及び図７に基づいて説明する。上述の実施形態１〜３では、情報配線器具３Ａ〜３Ｃに情報／電力分離部３２を設け、情報／電力分離部３２によって分離された直流電力をＤＣコンセント部３３から出力するとともに、情報コンセント部（同軸コネクタ接続部３４又はプラグ接続部３５，３６）を介して直流電力が重畳されていない情報信号を授受しているのに対して、本実施形態では、図６のシステム構成図に示すように、情報配線器具３Ｄが備えるコンセント口に着脱自在に接続されるアダプタ装置４を設けるとともに、このアダプタ装置４に上述の情報／電力分離部を設けている。尚、情報配線器具３Ｄ及びアダプタ装置４以外の構成は実施形態１と同様であるので、共通する構成要素には同一の符号を付して、その説明は省略する。
【００３８】
情報配線器具３Ｄは、同軸ケーブルＬ１が接続されるケーブル接続端子（図示せず）を背面側に備えるとともに、例えばＦ型の同軸コネクタ（プラグタイプ）が挿抜自在に接続されるレセプタクルタイプの同軸コネクタ接続部３４’（コンセント）を前面に備えており、同軸コネクタ接続部３４’はケーブル接続端子を介して同軸ケーブルＬ１に電気的に接続されている。
【００３９】
一方、アダプタ装置４は、情報配線器具３Ｄの同軸コネクタ接続部３４’に挿抜自在に接続されるＦ型の同軸コネクタ（プラグタイプ）からなる器具接続部４１と、器具接続部４１を介して伝送される信号から情報信号（テレビジョン信号）と直流電力とを分離して出力する情報／電力分離部４２と、負荷機器６からの電源コード６ａに設けた電源プラグが挿抜自在に接続され、情報／電力分離部４２により分離された直流電力を負荷機器６に供給するＤＣコンセント部４３と、映像機器７からの同軸ケーブル７ａに設けたＦ型の同軸コネクタ（プラグタイプ）が挿抜自在に接続され、直流電力と分離されたテレビジョン信号を映像機器７との間で授受するためのレセプタクルタイプの同軸コネクタ接続部４４とを備えている。
【００４０】
また図７（ａ）はアダプタ装置４の正面図を、同図（ｂ）はアダプタ装置４の背面図を示しており、アダプタ装置４は縦横の寸法に比べて厚み寸法が小さい直方体状の器体４０を備え、器体４０に上述した各部４１〜４４を備えている。そして、器体４０の前面にはＤＣコンセント部４３及び同軸コネクタ接続部４４が上下に並べて配設され、器体４０の背面にはプラグタイプの同軸コネクタからなる器具接続部４１が突設されている。尚、ＤＣコンセント部４３はＩＥＣ規格（ＣＥＩ／ＩＥＣ  ９０６−３）に準拠したソケットを有し、ＩＥＣ規格（ＣＥＩ／ＩＥＣ  ９０６−３）では、８種類（交流及び直流の６Ｖ，１２Ｖ，２４Ｖ，４８Ｖ）のＳＥＬＶ（Safety Extra-Low Voltage）電源に対して形状、大きさ及び極配置が規定されている。
【００４１】
而して、このアダプタ装置４は、器体４０の背面に設けた器具接続部４１が、情報配線器具３Ｄの同軸コネクタ接続部３４’に差込接続されることによって、ＤＣコンセント部４３及び同軸コネクタ接続部４４を前方に向けた状態で、情報配線器具３Ｄの前面側に取着される。そして、アダプタ装置４が情報配線器具３Ｄに取り付けられた状態では、同軸ケーブルＬ１を介して伝送される信号（直流電力を重畳させた情報信号）が、情報配線器具３Ｄを介してアダプタ装置４の情報／電力分離部４２に入力されるので、情報／電力分離部４２によって情報信号と分離された直流電力がＤＣコンセント部４３に出力されるとともに、同軸コネクタ接続部４４を介して外部の映像機器７との間で直流電力と分離された情報信号が授受される。尚、アダプタ装置４のＤＣコンセント部４３には、映像機器以外の機器を接続してもよく、ＤＣコンセント部４３から映像機器以外の機器に電力供給を行うことができる。
【００４２】
したがって、負荷機器６又は映像機器７からの電源コード６ａ，７ｂに設けた電源プラグがＤＣコンセント部４３に接続されると、アダプタ装置４のＤＣコンセント部４３から負荷機器６や映像機器７に直流電力が供給される。また、映像機器７からの同軸ケーブル７ａに設けた同軸コネクタが同軸コネクタ接続部４４に接続されると、アダプタ装置４と映像機器７との間で、直流電力が重畳されていないテレビジョン信号が授受されるので、直流電力が重畳されたテレビジョン信号からテレビジョン信号だけを分離して受信する機能を備えていない既存の映像機器（テレビや録画装置など）でも、同軸コネクタ接続部４４からテレビジョン信号を受信するとともに、ＤＣコンセント部４３から直流電力を受け取ることができ、既存の映像機器をアダプタ装置４に接続して使用することができる。
【００４３】
ここで、本実施形態のアダプタ装置４では、ＤＣコンセント部４３と同軸コネクタ接続部４４を両方共に備えているが、ＤＣコンセント部４３又は同軸コネクタ接続部４４の何れか一方のみを備えていればよく、ＤＣコンセント部４３又は同軸コネクタ接続部４４の何れかを備えて、直流電力又は情報信号の何れかを出力するようにしてもよい。またアダプタ４では、ＤＣコンセント部４３及び同軸コネクタ接続部４４に加えて、直流電力が重畳された情報信号をそのまま出力するコンセント部を備えるようにしてもよいし、ＤＣコンセント部４３又は同軸コネクタ接続部４４のうちの何れか一方と、直流電力が重畳された情報信号をそのまま出力するコンセント部とを備えるようにしてもよい。
【００４４】
さらに本実施形態では、情報信号としてテレビジョン信号が伝送される配線システムにおいて、テレビジョン信号に直流電力を重畳させた信号を出力する情報配線器具３Ｄに、情報／電力分離部４３を備えたアダプタ装置４が接続され、このアダプタ装置４から直流電力と情報信号とが分離されて出力されるようになっているが、情報信号としてＥｔｈｅｒｎｅｔ（登録商標）のプロトコルにしたがった伝送信号が伝送される配線システム（実施形態２参照）において、情報配線器具が、外部の情報機器との間で、直流電力が重畳された伝送信号を送受するコンセント口を備えるとともに、このコンセント口に着脱自在に接続されるアダプタ装置４に、伝送信号と直流電力とを分離する情報／電力分離部が設けられ、情報／電力分離部によって伝送信号と分離された直流電力がＤＣコンセント部から出力されるとともに、情報／電力分離部によって直流電力と分離された伝送信号が情報コンセント部を介して授受されるようにしてもよい。なお、この場合にもアダプタ装置４にはＤＣコンセント部４３又は情報コンセント部の何れか一方のみを備えていればよく、ＤＣコンセント部４３又は情報コンセント部の何れかを備えて、直流電力又は情報信号（伝送信号）の何れかを出力するようにしてもよい。またアダプタ４では、ＤＣコンセント部４３及び情報コンセント部に加えて、直流電力が重畳された情報信号（伝送信号）をそのまま出力するコンセント部を備えるようにしてもよいし、ＤＣコンセント部４３又は情報コンセント部のうちの何れか一方と、直流電力が重畳された情報信号をそのまま出力するコンセント部とを備えるようにしてもよい。
【００４５】
また更に、情報信号として電話信号が伝送される配線システム（実施形態３）において、情報配線器具が、外部の通信機器との間で、直流電力が重畳された電話信号を送受するコンセント口を備えるとともに、このコンセント口に着脱自在に接続されるアダプタ装置４に、電話信号と直流電力とを分離する情報／電力分離部が設けられ、情報／電力分離部によって電話信号と分離された直流電力がＤＣコンセント部から出力されるとともに、情報／電力分離部によって直流電力と分離された伝送信号が情報コンセント部を介して授受されるようにしてもよい。なお、この配線システムにおいてもアダプタ装置４にはＤＣコンセント部４３又は情報コンセント部の何れか一方のみを備えていればよく、ＤＣコンセント部４３又は情報コンセント部の何れかを備えて、直流電力又は情報信号（伝送信号）の何れかを出力するようにしてもよい。またアダプタ４では、ＤＣコンセント部４３及び情報コンセント部に加えて、直流電力が重畳された情報信号（音声信号）をそのまま出力するコンセント部を備えるようにしてもよいし、ＤＣコンセント部４３又は情報コンセント部のうちの何れか一方と、直流電力が重畳された情報信号をそのまま出力するコンセント部とを備えるようにしてもよい。
【００４６】
さらに本実施形態の情報配線システムでは１種類の情報信号を伝送する情報配線に直流電力を重畳させるとともに、アダプタ４に設けた情報／電力分離部で１種類の情報信号と直流電力とを分離させているが、複数種類の情報信号（例えばテレビジョン信号、伝送信号、音声信号のうちの２種又は３種）が多重伝送される情報配線に直流電力を重畳させ、情報配線器具において複数種類の情報信号と直流電力とをそれぞれ分離して、それぞれ対応するコンセント部から出力させるようにしてもよい。
【図面の簡単な説明】
【００４７】
【図１】実施形態１の情報配線システムを示す概略的なシステム構成図である。
【図２】同上を構成する情報配線器具の正面図である。
【図３】実施形態２の情報配線システムを示す概略的なシステム構成図である。
【図４】同上を構成する情報配線器具の正面図である。
【図５】実施形態３の情報配線システムを示す概略的なシステム構成図である。
【図６】実施形態４の情報配線システムを示す概略的なシステム構成図である。
【図７】同上を構成するアダプタ装置を示し、（ａ）は正面図、（ｂ）は背面図である。
【符号の説明】
【００４８】
１  分電盤
２  情報分電盤
３Ａ  情報配線器具
２１  ブースタ
２２  分配器
２３  ＤＣ電力重畳部
２４  アンテナ
３１  接続端子
３２  情報／電力分離部
３３  ＤＣコンセント部
３４  同軸コネクタ接続部（情報コンセント部）
Ｌ１  同軸ケーブル（情報配線）
【図１】
2010081700.tif 000003
【図２】
2010081700.tif 000004
【図３】
2010081700.tif 000005
【図４】
2010081700.tif 000006
【図５】
2010081700.tif 000007
【図６】
2010081700.tif 000008
【図７】
2010081700.tif 000009